(57)【特許請求の範囲】
【請求項１】
コードを伸縮自在に収納したリール本体と、そのリール本体から繰り出されるコードの先端に取り付けられたバンド部材と、そのバンド部材に取り付けられたカードケースとからなるカードホルダーに於いて、リール本体コード出口に傾斜を備えた構造を作り、その部分に対応するバンド部材は一部を凸状にすることにより、コードが収納される引張り力により、いつもリール本体に対しバンド部材凸状部が傾斜の低い位置に収納され、カードケースが常時一定方向を向くことを特徴とするリール式カードホルダー
【請求項２】
請求項１のカードホルダーに於いて、収納後向きがずれないようにリール本体出口傾斜構造最下部方向に凹部があり、そこにバンド部の凸部がはまる構造になっているリール式カードホルダー
【請求項３】
請求項１のカードホルダーに於いて、リール本体出口傾斜構造の周囲に、コードを収納した際にバンド部材凸状構造が斜面構造の外周よりはみ出すことを防ぎ、バンド部材が確実に収納出来る範囲で壁が作られているリール式カードホルダー
【請求項４】
請求項１のカードホルダーに於いて、リール本体出口傾斜構造が螺旋状傾斜構造になっているリール式カードホルダー
【発明の詳細な説明】
【技術分野】
【０００１】  本発明は、リール式カードホルダーに関する発明である。
【背景技術】
【０００２】  一般にリール式カードホルダーはコードを伸縮自在に収納したリール本体と、そのリール本体から繰り出されるコードの先端に取り付けられたバンド部材と、その部材に取り付けられたカードケースとから成り立っている。目的はカードをカードリーダーに当てるためにコードが伸縮自在に出来、カードリーダーはオフィスの入室管理、セキュリティー管理や、食堂での支払いにも利用されている。【０００３】  カード自体は部署名、氏名を明記することにより名札の役割も果たすように使用されている。しかし名札として使用するためには名前を明記した方向が表を向いていないと機能を満足できないという問題があり、一般にリール式カードケースが名前を明記した方向が表を向く可能性は５０％となる。いつも表を向くように直したとしてもカードリーダーに当てるためコードを伸縮させると再度裏側になる可能性がまた５０％になってしまう。【０００４】  この問題を解決するためにリール本体とバンド部材を凹凸に組み合わせたものや磁石のＳＮを組み合わせた提案がされているが、凹凸を組み合わせたものは凹凸が合わない場合が発生すること、磁石は大きさが大きくなる等の問題より一般に普及されていないのが現状である。また、バンド部材を手でリール本体より脱着させるという提案もあるが脱着を手で行うという問題がある。
【先行技術文献】
【特許文献】
【０００５】
【特許文献１】特開２００７−３０１３０８号公報
【特許文献２】特開２００８−２６４２９６号公報
【発明の概要】
【発明が解決しようとする課題】
【０００６】  解決しようとする問題点は、リール式カードケースの名前側が自動で常時表側を表示するようにすることである。
【課題を解決するための手段】
【０００７】  前述の課題を解決するためコードを伸縮自在に収納したリール本体と、そのリール本体から繰り出されるコードの先端に取り付けられたバンド部材と、その部材に取り付けられたカードケースとからなるカードホルダーに於いて、リール本体コード出口に傾斜を備えた構造を作り、その部分に対応するバンド部材は一部を凸状にすることにより、コードが収納される引張り力により、いつもリール本体に対しバンド部材凸状部が傾斜の低い位置に収納され、カードケースが常時一定方向を向くことを特徴とするリール式カードホルダーを発明した。
【発明の効果】
【０００８】  本発明は、リール式カードケース名前表示部が常時表側になるようにし、所属、名前等の情報を周囲の人が常時認識できるようにし、名札の機能を発揮できるようにする発明である。
【発明を実施するための形態】
【０００９】  ＡＢＳ樹脂で成形されたコードを伸縮自在に収納したリール本体１と、そのリール本体１から繰り出されるコード２の先端に取り付けられたポリアセタール製バンド部材３と、その部材に取り付けられたカードケース４とからなるカードホルダーに於いて、リール本体裏側には胸ポケットなどに固定する固定部品５が作られている。リール本体コード出口に傾斜を備えた斜面構造６を作り、その部分に対応するバンド部材３は一部を凸状構造７に作られているため、コードが収納されるときは斜面構造６と凸状構造７は点接触になり摩擦力が小さくなる。コードが収納される引張り力により、凸状構造７はどのような角度で斜面構造６とぶつかっても、斜面構造６をすべり斜面構造６の一番低い点にコードを中心に回転してセットされるようになり、いつもリール本体とバンド部材が同じ向きに収納されることを特徴とするリール式カードホルダーを発明した。
【００１０】リール本体の材料はアクリル樹脂、ナイロン樹脂、ポリエチレン樹脂、ポリプレン樹脂ポリカーボネート樹脂、ポリアセタール樹脂でも問題なく、射出成形できる一般樹脂を使用できる。また、バンド部材もリール本体と同様に射出成形できる樹脂を使用できる。しかし、より摩擦を少なくするという意味ではどちらかの部品をポリアセタール樹脂やフッ素樹脂のような摩擦係数に小さい樹脂で作成することにより良いすべりが得られる。
【００１１】      斜面構造６の斜面の一番低い方向に凹部構造８をつけることにより、バンド部材凸状構造７がその部分に収まり動きにくくなり、運動等の激しい動きを行ってもネームカードの表裏が逆転することが無くなる効果が高まる。
【００１２】本体出口斜面構造６の周囲に外周凸状樹脂９を作ることにより、バンド部材の凸状構造７が確実に斜面構造６と点接触が出来るようになり、凸状構造が斜面構造の外周よりはみ出すことを防ぎ、バンド部材が確実に収納でき、よりスムーズなすべりを実現し斜面構造６の斜面の角度が低くても確実に常時名前側が表側に来るように出来る。
【００１３】    本体出口斜面構造６を螺旋状斜面１１のようにすることにより、スムーズなすべりを実現でき確実に常時名前側が表側に来るように出来る。
【００１４】    本発明は、成形だけでなく切削でも同形状を作れば同じ機能をえらえ、また、傾斜構造部のコード穴出口に金属を採用することにより、摩擦を減らしよりスムーズな動きも得られ、耐久性も改善される。
【図面の簡単な説明】
【００１５】
【図１】本発明のリール式カードホルダー概略正面図
【図２】本発明の概略側面図
【図３】リール本体斜面構造部拡大断面図
【図４】リール本体出口に凹部がある本発明の拡大断面図
【図５】リール本体出口傾斜構造の周囲に壁のある本発明の拡大断面図
【図６】リール本体出口螺旋状傾斜構造本発明の拡大断面図
【符号の説明】
【００１６】１    リール本体                            ２    コード
３    バンド部材                            ４    カードケース
５    服固定部品                            ６    斜面構造
７    凸状構造                              ８    凹部構造
９    外周凸部構造                          １０  コード用穴
１１  螺旋状傾斜構造
【実施例１】
【００１７】      内部にリール構造を持ったリール本体１をＡＢＳ樹脂で成形した。コードの出口部に直径６ｍｍの円柱状傾斜構造６を持っている。傾斜は最大傾斜部と最小傾斜部で３ｍｍの差をもったものになっていて最小傾斜部はリール本体の表側の位置になっている。コード出口は直径１．５ｍｍの穴になっている。コードの端部には直径４ｍｍ長さ３ｍｍのポリアセタール樹脂製円柱状バンド部材３が取り付けられている。円柱状バンド部材３のリール本体側には幅１ｍｍ高さ１．５ｍｍの先端が丸い凸状構造７が作られている。円柱状バンド部材３の長さ方向中央部にはカードケースを固定する鎖を止める穴が径１ｍｍで出来ている。この穴の方向と凸状構造７は同じ方向に位置している。鎖の先にカードケース４が固定されている。（図１、図２、図３）
【実施例２】
【００１８】    実施例１と同じリール本体１の出口部の円柱状傾斜構造６の最小傾斜部に幅１．５ｍｍ深さ２ｍｍの凹部構造８を設けたもの。（図４）
【実施例３】
【００１９】    実施例２と同じリール本体１の出口部の円柱状傾斜構造６の直径を６ｍｍで作成し、その外周内側を高さ１．５ｍｍ厚み０．５ｍｍの外周凸部構造９を設けたもの。（図５）
【実施例４】
【００２０】    実施例３の円柱状傾斜構造を螺旋状傾斜構造１１に変更したもの（図６）凸状構造７は螺旋状傾斜構造１１の傾斜に沿って円周状に滑り凹状構造８まで滑って、ネームカードが表向きにセットされる。【００２１】    上記実施例の傾斜構造とバンド部材の構造を逆転させても問題なく機能する。
【要約】
【目的】  リール式カードホルダーは部署名、氏名を明記することにより名札の役割も果たすように使用されている。しかし名札として使用するためには名前を明記した方向が表を向いていないと機能を満足できないという問題があり、一般にリール式カードホルダーが名前を明記した方向が表を向く可能性は５０％となってしまう。
【解決手段】  コードを伸縮自在に収納したリール本体と、そのリール本体から繰り出されるコードの先端に取り付けられたバンド部材と、その部材に取り付けられたカードケースとからなるカードホルダーに於いて、リール本体コード出口に傾斜を備えた構造を作り、その部分に対応するバンド部材は一部を凸状にすることにより、コードが収納される引張り力により、いつもリール本体とバンド部材が同じ向きに収納されることを特徴とするリール式カードホルダーを発明した。
【選択図】図１【図１】
0006055073.tif 000002
【図２】
0006055073.tif 000003
【図３】
0006055073.tif 000004
【図４】
0006055073.tif 000005
【図５】
0006055073.tif 000006
【図６】
0006055073.tif 000007